(57)【要約】【課題】  フランジ部を有する容器にシュリンクフィルムが熱収縮装着された包装体において、消費者がＰＯＰラベルの表示片４を見易くなるように貼り付ける。【解決手段】  本発明の包装体９は、上端から下方に向かって縮径した縮径部６１ａ又は上端から下方に向かって直胴状の直胴部を有する上面開口型の容器本体６１と前記容器本体６１の上端から径外方向に突出されたフランジ部６２とを有する容器６と、前記フランジ部６２を含む容器本体６１の周囲に熱収縮装着されたシュリンクフィルム７と、貼付片３と表示片４を有するＰＯＰラベル１と、を有し、前記フランジ部６２の突出端６２ａとシュリンクフィルム７の間に、前記容器本体６１の外面から離れた状態で下方に垂下された保持部を有する保持片６３ａが介在されており、前記シュリンクフィルム７の外面の、前記保持部の外面に対応する位置に前記ＰＯＰラベル１の貼付片３が貼り付けられている。【選択図】  図４
2015063320.tif 000002
【特許請求の範囲】
【請求項１】
上端から下方に向かって縮径した縮径部又は上端から下方に向かって直胴状の直胴部を有する上面開口型の容器本体と前記容器本体の上端から径外方向に突出されたフランジ部とを有する容器と、
前記フランジ部を含む容器本体の周囲に熱収縮装着されたシュリンクフィルムと、
貼付片と表示片を有するＰＯＰラベルと、を有し、
前記フランジ部の突出端とシュリンクフィルムの間に、前記容器本体の外面から離れた状態で下方に垂下された保持部を有する保持片が介在されており、
前記シュリンクフィルムの外面の、前記保持部の外面に対応する位置に前記ＰＯＰラベルの貼付片が貼り付けられ、ＰＯＰラベルの表示片が起立している、包装体。
【請求項２】
前記容器が、前記フランジ部の上面に取り付けられ且つ前記容器本体の上面開口部を塞ぐシート蓋をさらに有し、
前記保持片が、前記シート蓋から延出され且つフランジ部の突出端から下方に垂下された摘み片である、請求項１に記載の包装体。
【請求項３】
前記ＰＯＰラベルに、剥離可能な粘着ラベルが貼付されている、請求項１または２に記載の包装体。
【発明の詳細な説明】
【技術分野】
【０００１】
本発明は、シュリンクフィルムが熱収縮装着され且つフランジ部を有する容器にＰＯＰラベルが貼り付けられた包装体に関する。
【背景技術】
【０００２】
従来、消費者の注意を惹き且つ広告宣伝効果を高めるため、ボトル型容器の上方部にＰＯＰラベルが貼着された包装体が知られている（特許文献１）。ＰＯＰラベルは、広告宣伝などが表された表示片をボトル型容器から突出させて貼着することにより、消費者の注意を惹くラベルであり、通称アイキャッチラベルとも呼ばれる。
かかるＰＯＰラベルは、一般に所定形状のラベル基材から形成されており、ボトル型容器の一部分に貼着可能な貼付片と、前記ボトル型容器から離れて起立する表示片と、を有する。
【０００３】
ところで、即席麺などを包装した包装体は、即席麺などを入れた上面開口型の容器本体とその容器本体の上端から径外方向に突出されたフランジ部とを有する容器が、シュリンクフィルムで全体的に被包されている。
このような包装体にも前記ＰＯＰラベルを貼着すれば、その包装体の広告宣伝効果を高めることができる。
しかしながら、かかる包装体は、フランジ部が容器本体の径外方向に突出している上、そのフランジ部を含む容器の周囲にシュリンクフィルムが熱収縮装着されているので、ＰＯＰラベルが容器の上端よりも上方に突出するように、ＰＯＰラベルの貼付片を容器の上方部に貼着した際、表示片が恰もお辞儀するように前方斜めに傾いて起立するという問題点がある。
このように表示片が前方斜めに傾くと、消費者からＰＯＰラベルの表示片が見え難く、十分な広告宣伝効果を発揮できない。
【先行技術文献】
【特許文献】
【０００４】
【特許文献１】特開２００２−３５１３３３
【発明の概要】
【発明が解決しようとする課題】
【０００５】
本発明の目的は、フランジ部を有する容器にシュリンクフィルムが熱収縮装着された包装体において、消費者が表示片を見易くなるように工夫してＰＯＰラベルが貼り付けられた包装体を提供することである。
【課題を解決するための手段】
【０００６】
本発明の包装体は、上端から下方に向かって縮径した縮径部又は上端から下方に向かって直胴状の直胴部を有する上面開口型の容器本体と前記容器本体の上端から径外方向に突出されたフランジ部とを有する容器と、前記フランジ部を含む容器本体の周囲に熱収縮装着されたシュリンクフィルムと、貼付片と表示片を有するＰＯＰラベルと、を有し、前記フランジ部の突出端とシュリンクフィルムの間に、前記容器本体の外面から離れた状態で下方に垂下された保持部を有する保持片が介在されており、前記シュリンクフィルムの外面の、前記保持部の外面に対応する位置に前記ＰＯＰラベルの貼付片が貼り付けられ、前記ＰＯＰラベルの表示片が起立している。
【０００７】
本発明の好ましい包装体は、前記容器が、前記フランジ部の上面に取り付けられ且つ前記容器本体の上面開口部を塞ぐシート蓋をさらに有し、前記保持片が、前記シート蓋から延出され且つフランジ部の突出端から下方に垂下された摘み片である。
本発明の好ましい包装体は、前記ＰＯＰラベルに、剥離可能な粘着ラベルが貼付されている。
【発明の効果】
【０００８】
本発明の包装体は、ＰＯＰラベルの表示片が鉛直方向に起立し易いので、包装体の正面から、消費者がＰＯＰラベルを見易くなる。本発明によれば、ＰＯＰラベルの広告宣伝効果を十分に発揮できる。
また、本発明の好ましい包装体は、ＰＯＰラベルに粘着ラベルが貼付されているので、包装体を開封後、その粘着ラベルを例えば仮止めシールなどに利用することもできる。
【図面の簡単な説明】
【０００９】
【図１】１つの実施形態に係るＰＯＰラベルの正面図。
【図２】図１のＩＩ−ＩＩ線で切断した断面図。
【図３】同ＰＯＰラベルが貼付された１つの実施形態に係る包装体の斜視図。
【図４】図３のＩＶ−ＩＶ線で切断した縦断面図。
【図５】他の実施形態に係るＰＯＰラベル付き包装体の縦断面図。
【図６】さらなる他の実施形態に係るＰＯＰラベル付き包装体の縦断面図。
【図７】さらなる他の実施形態に係るＰＯＰラベル付き包装体の縦断面図。
【図８】貼付されたＰＯＰラベルが前方斜めに傾いている包装体（参考例に係る包装体）の縦断面図。
【発明を実施するための形態】
【００１０】
以下、本発明の実施形態について、図面を参照しつつ具体的に説明する。
ただし、本明細書において、「上」は、包装体を水平面に安定的に自立させた状態を基準にして、水平面から離れる側（上側）を指し、「下」は、同状態を基準にして、水平面に近づく側（下側）を指す。
また、断面図におけるラベルなどの厚みは、実際のものとは異なっていることに留意されたい。
【００１１】
［ＰＯＰラベル］
図１及び図２において、ＰＯＰラベル１は、基材１１と粘着剤層１２を有し、その基材１１は、シュリンクフィルムに貼着可能な貼付片３と、貼付片３をシュリンクフィルムに貼り付けた際に包装体から離れて突出する表示片４と、に区画されている。
前記貼付片３の裏面は、粘着剤が露出した粘着面とされている。前記表示片４の裏面は、実質的に粘着剤が露出していない非粘着面とされているか、又は、貼付片３をシュリンクフィルムに貼付した際に、表示片４の曲げ復元力に抗するほどの貼着力を有さず且つ表示片４が包装体から離れる程度に僅かに粘着剤が露出した微弱粘着面とされている。
【００１２】
さらに、ＰＯＰラベル１の表面には、粘着ラベル２が貼付されている。粘着ラベル２は、基材２１と、前記基材２１の裏面に設けられた粘着剤層２２と、を有する。粘着剤が設けられていることにより、基材２１の裏面は、粘着剤が露出した粘着面とされている。以下、ＰＯＰラベル１の基材を第１基材、ＰＯＰラベル１の粘着面を第１粘着面、粘着ラベル２の基材を第２基材、粘着ラベル２の粘着面を第２粘着面という。
粘着ラベル２は、ＰＯＰラベル１の表面に剥離可能に貼付されている。粘着ラベル２は、ＰＯＰラベル１の表面全体に貼付されていてもよいが、図示例では、ＰＯＰラベル１の表示片４の表面に貼付されている。もっとも、粘着ラベル２は、ＰＯＰラベル１の貼付片３の表面に貼付されていてもよいし、ＰＯＰラベル１の表示片４の裏面に貼付されていてもよい（図示せず）。また、粘着ラベル２は、図示のように１枚に限られず、２枚以上貼付されていてもよい。
【００１３】
前記第１基材１１及び第２基材２１は、柔軟なシート材から形成され、その材質は特に限定されず、それぞれ独立して、例えば、紙、合成紙、合成樹脂製シート、金属蒸着シート、発泡樹脂シートなどが挙げられる。また、前記シート材は、前記各種シートの積層体などでもよい。合成樹脂製シート等の材質は特に限定されず、例えば、ポリエチレン、ポリプロピレン、環状オレフィン、ポリエチレンを含む共重合ポリマーなどのポリオレフィン系、ポリエチレンテレフタレートなどのポリエステル系、ポリアミド系、ポリスチレン系などが挙げられる。第１基材１１及び第２基材２１の厚みも特に限定されず、それぞれ独立して、例えば、３０〜１５０μｍ程度が好ましい。
第１基材１１は、大面積の矩形部分と小面積の矩形部分が繋がった正面視略Ｔ字状に形成されている。前記大面積の矩形部分が表示片４であり、小面積の矩形部分が貼付片３である。第２基材２１は、表示片４と略同じ大きさに形成されている。もっとも、第１基材１１及び第２基材２１の正面視形状は、このような形状に限定されるわけではない。
【００１４】
第１基材１１及び第２基材２１の表面には、各種表示（商品名、懸賞案内などの広告を含む）を表した意匠印刷が施されている。なお、必要に応じて、第１基材１１及び第２基材２１の裏面にも、前記意匠印刷を施してもよい。
【００１５】
第１基材１１の裏面全体には、粘着剤が設けられている。前記粘着剤を設けることにより、第１基材１１の裏面に粘着剤層１２が積層されている。さらに、前記表示片４に対応する前記粘着剤層１２の裏面に、マスキング剤を設けることにより、隠蔽層１３が積層されている。隠蔽層１３は、前記粘着剤の粘着力を隠蔽する又は弱める層である。前記隠蔽層１３を設けることにより、表示片４の裏面に非粘着面又は微弱粘着面が形成されている。他方、前記貼付片３に対応する前記粘着剤層１２の裏面は、露出している。従って、貼付片３の裏面に第１粘着面が形成されている。
前記粘着剤としては、通常、感圧型粘着剤が用いられるが、感熱型粘着剤を用いることも可能である。前記マスキング剤としては、例えば、紫外線硬化型インキなどを用いることができる。
【００１６】
第２基材２１の裏面全体には、第１基材１１と同様に粘着剤が設けられている。前記粘着剤を設けることにより、第２基材２１の裏面に粘着剤層２２が積層されている。他方、第１基材１１の表示片４の表面には、剥離剤が設けられている。前記剥離剤を設けることにより、表示片４の表面に剥離層１４が積層されている。剥離層１４は、粘着ラベル２をＰＯＰラベル１に剥離可能に貼付するために設けられている。従って、剥離層１４は、粘着ラベル２の第２粘着面が接する箇所に少なくとも設けられ、粘着ラベル２が表示片４の表面以外の箇所に粘着ラベル２が貼り付けられる場合には、その箇所に剥離層１４が設けられる。前記剥離剤としては、シリコーン樹脂などが挙げられる。
【００１７】
［ＰＯＰラベルを貼付した包装体］
図３及び図４において、包装体９は、容器本体６１とフランジ部６２とシート蓋６３とを有する容器６と、前記フランジ部６２を含む容器本体６１の周囲に熱収縮装着されたシュリンクフィルム７と、を有する。このフランジ部６２の突出端６２ａとシュリンクフィルム７の間には、前記容器本体６１の外面から離れた状態で下方に垂下された保持部を有する保持片が介在されている。上記ＰＯＰラベル１は、シュリンクフィルム７の外面の、前記保持部の外面に対応する位置に貼り付けられ、表示片４が上方に起立している。ただし、図３においては、容器６とＰＯＰラベル１の関係を判りやすくするため、シュリンクフィルム７を仮想線（二点鎖線）で表している。また、図４において、容器本体６１内に収納された収納物は、図示していない。
容器６に収納される収納物は、特に限定されず、即席麺、ヨーグルト、ゼリー、菓子、スープなどの食品の他、玩具などの食品以外のものが収納されていてもよい。
容器本体６１の上面開口部及び底面は、円形状である。特に図示しないが、上面開口部が、楕円状、四角形状などの多角形状などでもよい。
【００１８】
容器本体６１は、上端から下方に向かって縮径した縮径部６１ａを有する。下方に向かって縮径とは、下方に向かうに従って外周長が小さくなっていることを言う。図示例では、容器本体６１は、上端から下端まで徐々に縮径しており、従って、容器本体６１の全体の外形は、逆円錐台状に形成されている。もっとも、容器本体６１は、全体が縮径している場合に限定されず、その上端から上下方向中途部まで下方に向かって縮径していてもよい。つまり、容器本体６１は、上端から中途部までの間に縮径部６１ａが形成され、それ以外が直胴状などであってもよい（図示せず）。また、特に図示しないが、容器本体６１は、上端から下方に向かって直胴状の直胴部を有していてもよい。直胴状とは、上端から下方に向かって何れの箇所も外周長が同じであることをいう。なお、前記直胴状は、容器本体６１の上端から下端まで（容器本体６１の全体）でもよいし、上端から上下方向中途部まででもよい。全体が直胴状の容器本体６１の外形は、円筒状、楕円筒状、四角筒などの多角形筒状などである。
【００１９】
フランジ部６２は、容器本体６１の上端から径外方向（容器本体６１の軸芯から離れる方向）に突出されている。フランジ部６２は、容器本体６１の全周に亘って突出されている。従って、フランジ部６２は、上方部から見ると、リング状を成している。フランジ部６２の突出高さは、特に限定されないが、例えば、１．５ｍｍ〜１０ｍｍであり、好ましくは２ｍｍ〜７ｍｍである。
シート蓋６３は、フランジ部６２の上面に熱溶着又は接着剤若しくは溶剤を用いて接着されている。シート蓋６３は、平坦状であり、容器本体６１の上面開口部を塞いでいる。シート蓋６３は、柔軟なシート材からなる。シート蓋６３は、熱収縮性を有さず、シュリンクフィルム７よりも剛性が大きい。剛性が大きいとは、シュリンクフィルム７の収縮応力によって、後述する摘み片６３ａが容器本体６１の外面に密着しない程度の機械的強度を有することをいう。
このシート蓋６３の縁部には、摘み片６３ａが延出されている。摘み片６３ａは、フランジ部６２の取り付けられたシート蓋６３を捲り取る際に、指で摘む部分である。摘み片６３ａは、シート蓋６３がフランジ部６２に取り付けられた状態において、フランジ部６２に取り付けられておらず、フランジ部６２の突出端６２ａから径外方向に突出している。摘み片６３ａの形状は、指で摘むことができれば特に限定されず、例えば、図示したような、半円状などが挙げられる。また、摘み片６３ａの面内に、指掛け用の孔が形成されていてもよい。
【００２０】
シュリンクフィルム７は、加熱することによって収縮するフィルムである。シュリンクフィルム７は、容器本体６１とシート蓋６３とからなる容器全体の周囲を包むように、容器６に熱収縮装着されている。なお、このように容器全体を被包したシュリンクフィルム７（一般に、オーバーラップフィルムとも呼ばれる）は、熱収縮前には、１枚のフィルムであるため、熱収縮後には、１枚のフィルムを袋状にするための線状の熱溶着部分が生じるが、その熱溶着部分は、図示していない。
また、シュリンクフィルム７は、容器全体を被包するものに限られず、フランジ部６２を含む容器本体６１の上方部に少なくとも熱収縮装着されていればよい。従って、例えば、筒状に形成されたシュリンクフィルム７を用いてもよい。筒状のシュリンクフィルム７’を容器６の上面から底面にまで装着した場合を図５に示す。筒状のシュリンクフィルム７’を用いた場合、シート蓋６３の上面の中央部Ａ及び容器本体６１の底面の中央部Ｂは、シュリンクフィルム７’で覆われなくなる。
【００２１】
熱収縮装着されたシュリンクフィルム７は、容器本体６１及びシート蓋６３に密着している。フランジ部６２から突出した柔軟な摘み片６３ａは、シュリンクフィルム７が密着することによってフランジ部６２の突出端６２ａにて下方に折れ曲がり、容器本体６１の外面から離れた状態でフランジ部６２の突出端６２ａから下方に垂下される（図４参照）。
前記フランジ部６２の突出端６２ａとシュリンクフィルム７の間において、フランジ部６２の突出端６２ａから下方に垂下された摘み片６３ａが、保持片に相当し、摘み片６３ａのうち突出端６２ａよりも下方の下方部（容器本体６１の外面から離れた状態で下方に垂下された部分）が、保持部に相当する。シュリンクフィルム７が熱収縮装着された状態で、摘み片６３ａは、ほぼ下方向に垂下し、摘み片６３ａの外面は鉛直方向（水平面に対して直交する方向）に起立する。ただし、摘み片６３ａは、柔軟であるため、摘み片６３ａの外面が鏡面のようの平坦になっているわけではないことに留意されたい。つまり、摘み片６３ａは、部分的に皺を生じているが、全体として見ると、容器本体６１に密着せずに下方向に垂下している。
そして、シュリンクフィルム７の外面であって、摘み片６３ａの下方部の外面に対応する位置に、ＰＯＰラベル１の表示片４を上方に向けつつＰＯＰラベル１の貼付片３が貼付されている。貼付されたＰＯＰラベル１は、表示片４が容器本体６１の上端よりも上方に突出して起立している。なお、ＰＯＰラベル１の貼付片３は、少なくとも摘み片６３ａの下方部の外面に対応する位置に貼り付けられていればよく、例えば、摘み片６３ａ全体に対応する位置に貼り付けられていてもよい。
【００２２】
本発明の包装体９は、ＰＯＰラベル１が貼り付けられた位置において、シュリンクフィルム７とフランジ部６２の間に摘み片６３ａ（保持片）が介在している。かかる摘み片６３ａは、容器本体６１から離れて下方に垂下した下方部を有するため、貼付されたＰＯＰラベル１の貼付片３は、鉛直方向に延び、貼付片３と同一平面上に延びる表示片４もまた、図４に示すように、鉛直方向に延びる。このため、ＰＯＰラベル１の表示片４が前方斜めにお辞儀した状態となり難く、消費者からＰＯＰラベル１の表示片４が見え易くなる。
【００２３】
図８に示す、本発明に含まれない包装体９０を参考にして詳しく説明する。フランジ部６２０が突出されている容器６０は、フランジ部６２０の突出端６２０ａと容器本体６１０の外面との間に大きな段差Ｃを有する。かかる容器６０にシュリンクフィルム７０を熱収縮装着すると、図８に示すように、前記段差Ｃにおいてシュリンクフィルム７０が大きく収縮する。その収縮度合いは、容器本体６１０の縮径部６１０ａよりも大きい。他方、ＰＯＰラベルの表示片が容器本体６１０の上端よりも上方に突出するようにするためには、図８に示すように、ＰＯＰラベル１０の貼付片３０をフランジ部６２０の下側に貼り付ければよいが、そうすると、ＰＯＰラベル１０がフランジ部６２０に押されて前方斜めで起立することになる。このようにＰＯＰラベル１０が斜めになると、包装体９０の正面から表示片４０が見え難くなる。
この点、図４に示すように、本発明の包装体９は、介在された摘み片６３ａ（保持片）の下方部によってシュリンクフィルム７の外面の一部分に鉛直方向に延びる面が形成される。このため、シュリンクフィルム７の外面であって摘み片６３ａの下方部の外面に対応する位置に貼付されたＰＯＰラベル１は、フランジ部６２に押されず、表示片４がほぼ鉛直方向に起立するようになる。
かかる本発明のＰＯＰラベル付き包装体９は、表示片４が目立ち、消費者の注意を惹き、十分な広告宣伝効果を発揮できる。
【００２４】
さらに、本発明のＰＯＰラベル１には、粘着ラベル２が剥離可能に貼付されているので、包装体９を開封後、粘着ラベル２をＰＯＰラベル１から引き剥がすことにより、シート蓋６３を仮止めシールとして利用することもできる。例えば、容器内に即席麺が収納された包装体９の場合、シート蓋６３を開け且つお湯を注いだ後にシート蓋６３を再び閉じるが、この際、再閉するシート蓋６３の仮止めシールとして粘着ラベル２を利用することができる。
【００２５】
なお、本発明のＰＯＰラベル付き包装体は、上記実施形態に限られず、本発明の意図する範囲で様々に変更できる。
例えば、シュリンクフィルム７のうち摘み片６３ａ（保持片）に対応する部分に、切込み線又はミシン目線などの切り目（図示せず）を形成しておいてもよい。かかる切り目が形成された部分には、ＰＯＰラベル１の貼付片３が貼り付けられるので、そのＰＯＰラベル１を引き剥がすと同時に、前記切り目を開裂起点としてシュリンクフィルム７を分断除去できる。
【００２６】
また、上記実施形態では、保持片がシート蓋６３の摘み片６３ａであるが、保持片はシート蓋６３の摘み片６３ａに限られない。例えば、図６に示すように、容器本体６１とシュリンクフィルム７の間に、これらと別途独立した保持部材８を介在させてもよい。この保持部材８は、第１板片８１と、第１板片８１の端部に略直角に連設された第２板片８２と、を有する。かかる保持部材８は、例えば、帯板状の部材を略直角に折り曲げたような形状を成し、例えば、厚紙や合成樹脂成形品などを用いて形成できる。
この保持部材８の第２板片８２の上方部内面をフランジ部６２の突出端６２ａに密着させながら第１板片８１を容器本体６１の上面（シート蓋６３を有する容器６の場合には、シート蓋６３の上面）に載せ、その状態でシュリンクフィルム７を熱収縮することにより、フランジ部６２の突出端６２ａとシュリンクフィルム７の間において、第２板片８２の下方部が容器本体６１の外面から離れた状態で垂下する。かかる第２板片８２が保持片に相当し、その下方部が保持部に相当する。この第２板片８２の下方部（保持部）に対応する位置に、ＰＯＰラベル１の貼付片３を貼付することにより、上記実施形態と同様に、表示片４がほぼ鉛直方向に起立したＰＯＰラベル付き包装体９を構成できる。
【００２７】
さらに、図７に示すように、上記保持部材８の第２板片８２に、段部８２２が形成されていてもよい。この段部８２２は、第２板片８２の上方部８２１と下方部８２３の間に形成されており、前記下方部８２３が上方部８２１よりも内側にずれることにより形成されている。この段部８２２と第２板片８２の上方部８２１と第１板片８１とによって、コの字状の係止部が形成される。かかる保持部材８は、第２板片８２の上方部内面をフランジ部６２の突出端６２ａに密着させながら取り付けられ、第２板片８２の下方部８２３が容器本体６１の外面から離れた状態で垂下する。このような保持部材８は、前記係止部を有するので、フランジ部６２に抱着できる。このため、シュリンクフィルム７を熱収縮装着した際に、保持部材８が位置ずれすることを防止できる。なお、かかる段部８２２を余りに大きくすると（下方部８２３を内側に大きくずらし過ぎると）、第２板片８２の下方部８２３が容器本体６１の外面に実質的に沿ってしまうので、第２板片８２の下方部８２３が容器本体６１から離れた状態を維持しつつ、係止部を形成できる程度に、前記段部８２２は形成される。
また、保持片の形状は、上記各実施形態に限られず、容器本体６１の外面から離れた状態で垂下する保持部を有していればその形状は特に限定されない。
【００２８】
また、上記実施形態では、ＰＯＰラベル１に粘着ラベル２が貼付されているが、粘着ラベル２を具備しないＰＯＰラベル１だけを包装体９に貼付してもよい。
【符号の説明】
【００２９】
１…ＰＯＰラベル、２…粘着ラベル、３…貼付片、４…表示片、６…容器、６１…容器本体、６１…縮径部、６２…フランジ部、６２ａ…フランジ部の突出端、６３…シート蓋、６３ａ，８２…保持片、７，７’…シュリンクフィルム、９…包装体
【図１】
2015063320.tif 000003
【図２】
2015063320.tif 000004
【図３】
2015063320.tif 000005
【図４】
2015063320.tif 000006
【図５】
2015063320.tif 000007
【図６】
2015063320.tif 000008
【図７】
2015063320.tif 000009
【図８】
2015063320.tif 000010